(57)【要約】【課題】  限られた口数の加熱機器で調理すると、調理器具の洗浄が途中で必要となったり、調理の品数だけ加熱機器に向かう必要があり、多くの時間を要した。  また、それを解決するための内部に仕切りのあるフライパンは、出汁が混ざるなどの欠点があった。  本発明は、一口の加熱機器で複数調理を独立性を持って完成させることを可能とする調理器具を提供する。【解決手段】独立した大小の調理器具に小穴を貫通させた突出部と突起付の突出部を設け、それらを組合わせることで一体化させ、或いは突起部や小サイズの調理器具付随の取っ手を操作することで、一体化を解除させる構造の加熱機器用調理機具。【選択図】図１
2012223550.tif 000002
【特許請求の範囲】
【請求項１】
単独でＩＨが検知可能なサイズである、底面と開口部が楕円状のメインフライパンと、それに連結させる一対に形成されたサブフライパン１セット、またはサブスペアフライパン１個とで構成されるものであり、メインフライパンは、通常のフライパン同様のアームを設け、アームの真向かいには突起形状のツノを２個設け、開口部楕円の長軸の両極には小穴を貫通させたトメ受けを設けた形状であり、サブフライパンは外側に膨らんだ円弧外壁の中央部にハンドルを設け、円弧外壁に対向する左右二つの壁面において、左壁面はメインフライパンの周壁にそって接触する凹み円弧面となり、右壁面は一対の相手方サブフライパンと接触する直線面となり、左壁面と円弧外壁の交わる上部頂点に、下方向に突起部をもつトメ部を形成し、左壁面と右壁面の交わる上部頂点に、小穴を貫通させたツノ受けを形成した形状であり、このように形成されたフライパンを左右対照的である右フライパンとの対で１セットを成し、サブスペアフライパンは、底面と開口部が三日月状に形成され、外側に膨らんだ円弧面の中央部にハンドルを設け、内側に凹んだ対向面中央（ハンドルの真向かいの位置）に二つの小穴を貫通させたツノ受けダブルを形成し、ツノ受けダブルを挟む左右端頂部に下方向に突起部を持つトメ部を形成することを特徴とした組み合わせ式フライパン。
【発明の詳細な説明】
【技術分野】
【０００１】  本発明は、ＩＨクッキングヒーター等加熱機器の１口で複数調理を同時に別々に調理を進めて完成させるための加熱機器用調理器具に関するものである。
【背景技術】
【０００２】  従来加熱機器においては、１口につき１つの調理のみを一時におこなってきた。
また同時に複数調理するためのものとして、フライパン内部に仕切りを設けたもの（特許文献１参照）や、半円形のフライパン２つを取っ手でつないだものもの（特許文献２参照）も、先行技術として知られている。
【先行技術文献】
【０００３】
【特許文献１】  特開２００９−９００７７号公報
【特許文献２】  実開平６−４８５４３号公報
【発明の概要】
【発明が解決しようとする課題】
【０００４】  内部に仕切りがあるフライパン内部では、加熱機器から下ろすタイミングを同時にせざるを得ず、また、調理で出た出汁を器に移動させる際に、鍋を傾けると出汁が仕切り壁を越えて混ざってしまうなど、調理の個別の進行が難しいという欠点があった。
半円形フライパン２つを取っ手でつなぐタイプは、寸法によっては底面積の関係上ＩＨが検知・作動しないことが起こりうる上、パーツが幾つにも分かれており、調理中の操作が難しかった。
本発明はこれらの欠点を解決するためのものである。
【課題を解決するための手段】
【０００５】  単独でＩＨが検知可能なサイズである、底面と開口部が楕円状のメインフライパンと、それに連結させる一対に形成されたサブフライパン１セットと、またはサブスペアフライパン１個とで構成される。
（イ）メインフライパンは、通常のフライパン同様のアームを設ける。また、アームの真向かいには突起形状のツノを２個設け、開口部楕円の長軸の両極には小穴を貫通させたトメ受けを設ける。
（ロ）サブフライパンは外側に膨らんだ円弧外壁の中央部にハンドルを設け、円弧外壁に対向する左右二つの壁面において、左壁面はメインフライパンの周壁にそって接触する凹み円弧面となり、右壁面は一対の相手方サブフライパンと接触する直線面となる。左壁面と円弧外壁の交わる上部頂点に、下方向に突起部をもつトメ部を形成し、左壁面と右壁面の交わる上部頂点に、小穴を貫通させたツノ受けを形成する。
このように形成されたフライパンと対照的に右フライパンを形成する。
（ハ）サブスペアフライパンは、底面と開口部が三日月状に形成され、外側に膨らんだ円弧面の中央部にハンドルを設け、内側に凹んだ対向面中央（ハンドルの真向かいの位置）に二つの小穴を貫通させたツノ受けダブルを形成し、ツノ受けダブルを挟む左右端頂部に下方向に突起部を持つトメ部を形成する。
本発明は、以上のような構成である。
【発明の効果】
【０００６】  １口で同時に複数調理が可能で、主菜と副菜を同時に仕上げることが可能になる。
逆に、サブフライパンやサブスペアは自由なタイミングでメインフライパンから切り離すことが可能であり、仕上がった順に加熱調理を終えることが可能である。
また各々で出た出汁は、仕切り構造を持つフライパンと異なり、隣の調理具材の出汁と混ざり合うことがない。
賃貸住宅では１または２口、一般家庭では３口までが加熱機器の一般的口数であるが調理の順番待ちや調理中のフライパン洗浄の回数も少なくできる。
【図面の簡単な説明】
【０００７】
【図１】  本発明の上から見た平面図
【図２】  本発明の一部であるメインフライパンの斜視図
【図３】  本発明の一部である一対のサブフライパンの内の、一方の斜視図
【図４】  本発明の一部であるサブスペアフライパンの斜視図
【発明を実施するための形態】
【０００８】  本発明は［図１］のとおり、単独でＩＨが検知可能なサイズである、底面と開口部が楕円状のメインフライパン（１）と、それに連結させる一対に形成されたサブフライパン（５）１セットと、またはサブスペアフライパン（９）１個とで構成される。
（ニ）［図２］のメインフライパン（１）は、通常のフライパン同様のアーム（２）を設ける。またまた、アーム（２）の真向かいには突起形状のツノ（３）を２個設け、開口部楕円の長軸の両極には小穴を貫通させたトメ受け（４）を設ける。
（ホ）［図３］のサブフライパン（５）は外側に膨らんだ円弧外壁の中央部にハンドル（６）を設け、円弧外壁に対向する左右二つの壁面において、左壁面はメインフライパン（１）の周壁にそって接触する凹み円弧面となり、右壁面は一対の相手方サブフライパン（５）と接触する直線面となる。左壁面と円弧外壁の交わる上部頂点に、下方向に突起部をもつトメ部（８）を形成し、左壁面と右壁面の交わる上部頂点に、小穴を貫通させたツノ受け（７）を形成する。このように形成されたフライパンと対照的に右フライパンを形成する。
（ヘ）サブスペアフライパン（９）は、底面と開口部が三日月状に形成され、外側に膨らんだ円弧面の中央部にハンドル（６）を設け、内側に凹んだ対向面中央（ハンドル（６）の真向かいの位置）に二つの小穴を貫通させたツノ受けダブル（１０）を形成し、ツノ受けダブル（１０）を挟む左右端頂部に下方向に突起部を持つトメ部（８）を形成する。
本発明は以上のような構成であり、これを実際に使用して一口の加熱機器で、同時にそして独立して複数調理するには以下の通りに行う。
（ト）［図２］メインフライパン（１）のツノ（３）に、一対の［図３］サブフライパン（５）のツノ受け（７）を各々通し、［図２］メインフライパン（１）のトメ受け（４）に、［図３］サブフライパン（５）のトメ部（８）を各々はめ込み固定する。また［図２］メインフライパン（１）のアーム（２）を用いて調理を行う。
（チ）同様に、［図２］のメインフライパン（１）のツノ（３）に、［図５］サブスペアフライパン（９）のツノ受けダブル（１０）を、トメ受け（４）にトメ部（８）をはめ込んで固定、アーム（２）を用いて調理を行う。
（リ）［図３］サブフライパン（５）及び［図５］サブスペアフライパン（９）の調理が完了した際は、各々のツノ（３）とツノ受け（７）またはツノ受けダブル（１０）、トメ部（８）とトメ受け（４）のはめ込みを解除し、各々のハンドル（６）を用いて［図２］メインフライパン（１）から取り外す。
【符号の説明】
【０００９】（１）メインフライパン、（２）アーム、（３）ツノ、（４）トメ受け、（５）サブフライパン、（６）ハンドル、（７）ツノ受け、（８）トメ部、（９）サブスペアフライパン、（１０）ツノ受けダブル
【図１】
2012223550.tif 000003
【図２】
2012223550.tif 000004
【図３】
2012223550.tif 000005
【図４】
2012223550.tif 000006